(57)【要約】【課題】ガスカロリーの高いガスが得られると共に、ガスエネルギーへの転換効率即ち冷ガス効率を高くでき、しかも、清浄な有機物に限定されず、あらゆる有機物を熱分解できる有機物のガス化方法及び装置を提供すること【解決手段】熱分解炉１０における１次熱分解で生成する熱分解ガス中で、さらに改質が必要な油分だけを炭素系吸着剤２１を用いて効率的に熱分解ガスから分離し、油分を吸着した炭素系吸着剤２１を誘導加熱することによって、その油分を改質しガス化する共に、炭素系吸着剤２１を再生するようにした。【選択図】図１
2005126524.tif 000002
【特許請求の範囲】
【請求項１】
有機物を熱分解炉で熱分解して熱分解ガスを生成する有機物のガス化方法において、前記熱分解ガス中の常温で液体又は固体になる油分を炭素系吸着剤に吸着させて分離し、該油分を吸着した炭素系吸着剤を誘導加熱することにより、吸着した油分を２次熱分解してガス状に改質すると共に、炭素系吸着剤を再生することを特徴とする有機物のガス化方法。
【請求項２】
炭素系吸着剤に熱分解ガス中の油分を吸着させる際の熱分解ガスの温度を６００〜１５０℃とすることを特徴とする請求項１に記載の有機物のガス化方法。
【請求項３】
油分を吸着した炭素系吸着剤の誘導加熱温度を１３００℃以上とすることを特徴とする請求項１又は２に記載の有機物のガス化方法。
【請求項４】
炭素系吸着剤に吸着した油分を２次熱分解させて生成した油分改質ガスを、油分を吸着分離した熱分解ガスと共に回収することを特徴とする請求項１〜３の何れかに記載の有機物のガス化方法。
【請求項５】
熱分解後の固体状の残渣を燃焼し、もしくはその顕熱を前記熱分解炉の熱源とすることを特徴とする請求項１〜４の何れかに記載の有機物のガス化方法。
【請求項６】
炭素系吸着剤を充填した吸着室内で熱分解ガスを冷却しながら油分を吸着させることを特徴とする請求項１〜５の何れかに記載の有機物のガス化方法。
【請求項７】
有機物を熱分解して熱分解ガスを生成する熱分解炉に隣接して、吸着室と再生室とを設け、吸着室の内部に、熱分解ガス中の油分を吸着する炭素系吸着剤を充填し、該吸着室の下部には、前記熱分解炉の熱分解ガス排出路と連通する熱分解ガス受け入れ口を、前記吸着室の上部には、改質した熱分解ガスの排出口と再生した炭素系吸着剤の受け入れ口を形成し、更に、前記吸着室の底部には、充填され油分を吸着した炭素系吸着剤を適宜前記再生室へ排出するための切り出し装置を設け、一方、前記再生室の上部には、油分を吸着した炭素系吸着剤の受け入れ口と、油分を２次熱分解させて生成した油分改質ガスの排出口を形成し、前記再生室の外周には油分を吸着した炭素系吸着剤を加熱し再生するための誘導加熱装置が設けられ、前記再生室の底部には、再生した炭素系吸着剤の切り出し装置を設けると共に、該切り出し装置に連接し、前記吸着室に再生した炭素系吸着剤を供給するための装置を設けたことを特徴とする有機物のガス化装置。
【請求項８】
有機物を熱分解して熱分解ガスを生成する熱分解炉に隣接して、吸着室と再生室とを上下一体的に構成して設け、前記吸着室の内部に、熱分解ガス中の油分を吸着する炭素系吸着剤を充填し、該吸着室の下部には、前記熱分解炉の熱分解ガス排出路と連通する熱分解ガス受け入れ口を形成し、前記吸着室の上部には、改質した熱分解ガスの排出口と再生した炭素系吸着剤の受け入れ口を形成すると共に、前記吸着室の底部には、充填され油分を吸着した炭素系吸着剤を適宜前記再生室へ排出するための切り出し装置を設け、一方、前記再生室の上部は開放させて前記吸着室と連通状態とし、前記再生室の外周には、油分を吸着した炭素系吸着剤を加熱し再生するための誘導加熱装置が設けられ、前記再生室の底部には、再生した炭素系吸着剤の切り出し装置を設けると共に、該切り出し装置に連接し、前記吸着室に再生した炭素系吸着剤を供給するための装置を有する有機物のガス化装置。
【請求項９】
吸着室と熱分解炉の間にガス冷却装置を配したことを特徴とする請求項７又は８に記載の有機物のガス化装置。
【請求項１０】
吸着室の外周に水冷壁を配置するか、もしくは吸着室に水冷管を挿入したことを特徴とする請求項７〜９の何れかに記載の有機物のガス化装置。
【請求項１１】
吸着室の上部に散水装置を設けたことを特徴とする請求項７〜１０の何れかに記載の有機物のガス化装置。
【請求項１２】
再生室に酸素及び／又は水蒸気を供給する供給装置を設けたことを特徴とする請求項７〜１１の何れかに記載の有機物のガス化装置。
【請求項１３】
吸着室及び／又は再生室の本体を冷却するための装置を設けたことを特徴とする請求項７〜１２の何れかに記載の有機物ガス化装置。
【請求項１４】
有機物を熱分解して熱分解ガスを生成する熱分解炉に隣接して、複数の吸着・再生室を設け、それぞれの吸着・再生室の内部に熱分解ガス中の油分を吸着する炭素系吸着剤を充填し、それぞれの吸着・再生室の下部には、前記熱分解炉の熱分解ガス排出路と連通する熱分解ガス受け入れ口を形成し、それぞれの吸着・再生室の上部には、改質した熱分解ガス及び油分を２次熱分解させて生成した油分改質ガスを排出するための改質ガス排出口を形成すると共に、それぞれの吸着・再生室の外周には、油分を吸着した炭素系吸着剤を加熱し再生するための誘導加熱装置を設け、前記複数の吸着・再生室のそれぞれの熱分解ガス受け入れ口同士及び改質ガス排出口同士を連通路を介して連接し、且つ、適宜切り替え自在として常に何れか一つを稼動状態とするようにしたことを特徴とする有機物のガス化装置。
【発明の詳細な説明】
【技術分野】
【０００１】
本発明は、木材、木質系廃棄物、紙質系廃棄物、建設廃木材、食品廃棄物等のバイオマス、及び、廃プラスチック、石炭等の有機物を熱分解して熱分解ガスを得る方法及びその装置に関するものである。
【背景技術】
【０００２】
有機物を加熱し熱分解すると固体残渣と熱分解ガスに分離するが、この熱分解ガスを冷却するにしたがい、含有する高分子量のガスは油分（タール、重油、軽油等）として凝縮する。
【０００３】
したがって、熱分解ガスを、燃料ガス、合成ガスとして利用する場合は、そのうちの油分を除去する必要があり、従来、例えばコークス炉の場合は図５に示すように、コークス炉１００からの熱分解ガスを安水と吸収油で湿式洗浄し、場合によっては電気集塵機（ＥＰ）１０１も使って、それらの油分（タール、軽油）を除去していた。
【０００４】
また、有機系廃棄物を熱分解する熱分解炉の場合、図６に示すように、熱分解炉１０２（図６ではシャフト炉式熱分解炉として記載）からの熱分解ガスの温度を、高温改質炉１０３にて１０００℃以上に上げ、一定時間保持して改質、即ち、油分を２次熱分解させていた（特許文献１参照）。
【０００５】
しかし、前者の湿式洗浄方式の場合、油分を分離除去するだけであり、その油分の持つエネルギーは、ガスエネルギーに転換されないので、ガス生成量が減ってしまい冷ガス効率、即ちエネルギー転換効率は低いままになる。また、熱分解温度に昇温したガスを湿式洗浄によって冷却するためガスの顕熱を回収できない。
【０００６】
一方、後者の高温熱分解方式の場合、熱分解対象の油分は熱分解ガスの一部でありながらガスと油分の蒸気とが混合気として存在し分離できないので、熱分解ガス全体を１０００℃以上に昇温して油分を熱分解する必要がある。そのため、加熱に必要な熱量が多くなり、その伝熱機構が大規模となり設備コストが高くなる。加えて、純酸素等の外部からの加熱燃料が多量に必要であり、また、これを熱分解ガスの部分燃焼によって補おうとした場合は、部分燃焼割合を上げて昇温する必要があるので、結果として、燃焼排ガスが熱分解ガス（燃料ガス）を希釈し、回収ガスのガスカロリーは落ち冷ガス効率も低いままになる。
【０００７】
また、そうした不都合を回避するため、低温で熱分解ガス中の油分を２次熱分解できるよう、例えば図７に示すように、触媒を利用した触媒反応塔１０４の適用を試みる研究もあるが（特許文献２参照）、触媒劣化を防ぐためには、熱分解対象物が触媒の被毒物質を含まない清浄な有機物に限定されるか、又は触媒の再生装置を必要とする。さらに、触媒は一般的に白金等の高価な金属を含有しており、コスト高となる。
【特許文献１】特開２００３−２１３２７７号公報
【特許文献２】特開２００３−２３８９７３号公報
【発明の開示】
【発明が解決しようとする課題】
【０００８】
本発明が解決しようとする課題は、ガスカロリーの高いガスが得られると共に、ガスエネルギーへの転換効率即ち冷ガス効率を高くでき、しかも、清浄な有機物に限定されず、あらゆる有機物を熱分解できる有機物のガス化方法及び装置を提供することにある。
【課題を解決するための手段】
【０００９】
上記課題を解決するために、本発明は、熱分解炉における１次熱分解で生成する熱分解ガス中で、さらに改質（２次熱分解）が必要な油分だけを炭素系吸着剤を用いて効率的に熱分解ガスから分離し、油分を吸着した炭素系吸着剤を誘導加熱することによって、その油分を改質しガス化すると共に、炭素系吸着剤を再生するようにしたものである。
【００１０】
一般に分子量の大きなガスは吸着しやすく、ここでいう油分は炭素数５（Ｃ５）以上の高分子量の分子であるので、温度を選べば吸着分離が可能である。吸着分離時の熱分解ガスの好ましい温度範囲は、６００℃〜１５０℃である。吸着分離時の熱分解ガスの温度が６００℃を超えると鋼製設備の耐熱温度を超えるおそれがあり、１５０℃未満では            油分が炭素系吸着剤に吸着される前に凝縮してしまうことに加えて水分や酸も凝縮する可能性があるので好ましくない。
【００１１】
炭素系吸着剤に吸着した油分は、炭素系吸着剤を誘導加熱することによって昇温し、熱分解（２次熱分解）する。このとき炭素系吸着剤の直径と電気抵抗に合わせて周波数を選定することにより、油分が吸着する表皮部分だけを急速加熱することができる。そのことによって、油分が効率的且つ急速に熱分解し油分改質ガスとしてガスに転換される。この結果、冷ガス効率即ち、ガスエネルギーへの転換効率も高まる。
【００１２】
また、このとき、炭素系吸着剤の表面温度を１３００℃〜１６００℃とすることで、表面に付着するダスト成分は溶融して流下し、吸着剤表面から分離する。さらに、誘導加熱部分（再生室）の下部から水蒸気や純酸素を吹き込むことで、炭素系吸着剤表面の炭素が一部ガス化し、賦活され再生される。このガスは再生室内を上昇し、たとえば水蒸気分は、油分が熱分解する際のガス化剤として作用し、また発生する油分改質ガスを、再生室上方にパージするキャリアガスとしても作用する。さらに、雰囲気ガス温度を一様且つ一定に保つ役目も果たす。
【発明の効果】
【００１３】
本発明によれば、ガスカロリーの高いガスが得られると共に、ガスエネルギーへの転換効率即ち冷ガス効率を高くできる。
【００１４】
また、従来の触媒を使用した方法のように被毒は問題にならないので対象物を限定する必要はない。
【００１５】
さらに、炭素系吸着剤は誘導加熱により再生されるので、繰り返し使用できコストを低減できる。
【発明を実施するための最良の形態】
【００１６】
以下、実施例に基づき本発明の実施の形態を説明する。
【実施例１】
【００１７】
図１は本発明の第１実施例の装置構成図である。本実施例は、熱分解炉をシャフト炉式ガス化溶融炉とした場合の一例で、有機系廃棄物を熱分解し、熱分解ガス中の油分を分離・改質し、得られたガスを集塵・昇圧・貯留して、燃料ガスとして利用するものである。
【００１８】
図１において、１０は有機系廃棄物を熱分解する熱分解炉としてのシャフト炉である。有機系廃棄物は２重シールと弁とダンパからなる装入装置１１から装入され、装入された有機系廃棄物は乾燥、熱分解を経て炭化物となり、一部は微細な炭化物粒子のチャーとしてガスに随伴して飛散する。炉内の炭化物は、羽口１２を介して送風される酸素とリサイクルガスの混合気によって燃焼・溶融する。
【００１９】
さらに、前炉１３では、サイクロン１７で捕集されたチャーを酸素バーナからなるチャーバーナ１４で噴流燃焼溶融しており、同時にＬＮＧ酸素バーナからなる保熱バーナ１５で溶融物の排出口を保熱している。このため、シャフト炉１０下部の羽口１２前で生成する溶融物は前炉１３の底部を流れつつ昇温・保熱され、その後、水砕され、溶融物は掻上げコンベア１６にて、水封によりガスシールしつつ排出される。
【００２０】
シャフト炉１０で有機物系廃棄物を熱分解することにより生成する熱分解ガスは、装入する有機系廃棄物の層厚みを調整することにより、炉頂での温度が概ね４００〜６００℃に調整されているが、温度が６００℃を超える場合には、散水装置５０ａでガス温度を調整して、サイクロン１７に流入させる。
【００２１】
サイクロン１７では、ガスに随伴して飛散する微細な炭化物粒子のチャーを捕集し、均圧ホッパ１８ａ、１８ｂを介して、チャーホッパ１９に貯留する。サイクロン１７を出た熱分解ガスは、次工程でそのガス中の油分を効率的に吸着分離するために、必要に応じて散水装置５０ｂでガス温度を下げる。
【００２２】
ガス温度を下げた熱分解ガスは、熱分解ガス受け入れ口２５を介して再生室３０から排出されるガスと合流して、吸着室２０に入る。熱分解ガスには、常温でガス状の炭素数４（Ｃ４）以下の炭化水素ガス、一酸化炭素、水素、二酸化炭素、水蒸気、窒素と、常温で液体又は固体になる炭素数５（Ｃ５）以上の油分の蒸気ガスが含まれる。このうち吸着室２０では、熱分解ガスから、油分の蒸気ガスが、吸着室２０内に充填された炭素系吸着剤２１側に吸着分離され、その後、熱分解ガスは、油分を含まない状態で、ガス排出口２６から排気される。
【００２３】
吸着室２０に入った熱分解ガスは、炭素系吸着剤２１と接触して熱分解ガス中の油分が、炭素系吸着材２１の表面に凝縮・吸着することにより、熱分解ガスと分離される。このとき、吸着室２０の外周に配置したボイラ水冷壁２２の冷却効果により、また、散水ノズル２７からの水噴射により炭素系吸着材２１を水冷することによりガス温度を下げる。ガス温度は、散水ノズル２７からの水噴射量を調整することにより、吸着室２０上部のガス排出口２６での温度が６００〜１５０℃の範囲になるように調整する。なお、吸着室２０に水冷管を挿入して炭素系吸着材２１を冷却するようにしても良い。
【００２４】
吸着室２０において、炭素系吸着剤２１は移動層を構成し、上部の吸着剤装入装置２３から入り、逐次下降しながら、上昇する熱分解ガスと向流接触し、炭素系吸着剤２１の表面に油分を凝縮・吸着させた状態で、吸着室２０下部の切り出し装置２４から排出される。
【００２５】
切り出し装置２４は、揺動パドルで構成され、熱分解ガス中の油分含有量にあわせて、炭素系吸着剤２１の循環量を調整している。即ち、熱分解ガス中の油分含有量が多いときは、揺動パドルの動作頻度をあげて、炭素系吸着剤２１の循環量を増やして対応する。
【００２６】
切り出し装置２４によって排出された炭素系吸着剤２１は、自然落下により真下に配置された再生室３０に入る。再生室３０は、油分が吸着した炭素系吸着剤２１を誘導加熱し、油分を２次熱分解させて油分改質ガスとすると共に、炭素系吸着剤２１自体を再生するためのものである。
【００２７】
再生室３０の上部外周には、炭素系吸着剤２１を誘導加熱するために、コイル４１と誘導加熱電源４２からなる誘導加熱装置４０が配置されており、その下方には、順次、酸素と水蒸気を吹込み供給するため供給装置としての複数のノズル３１、高温で再生した炭素系吸着剤２１を乾式冷却するための水冷パネル３２、及び、高温で再生した炭素系吸着剤２１を散水で冷却・消火するための散水ノズル３３が配置されている。そして、再生室３０の底部には、再生した炭素系吸着剤２１を排出するための切り出し装置３４が配置されている。
【００２８】
再生室３０内において、炭素系吸着剤２１に吸着した油分は、炭素系吸着剤２１を誘導加熱装置４０によって誘導加熱することによって昇温し、熱分解（２次熱分解）する。このとき、炭素系吸着剤２１の直径と電気抵抗に合わせて周波数を選定することにより、油分が吸着する表皮部分だけを急速加熱することができる。炭素系吸着剤２１として高炉用コークスを用いる場合は、３０〜１００ｋＨｚで誘導加熱すると良い。これによって、油分が効率的且つ急速に熱分解し、ガス、即ち油分改質ガスに転換される。
【００２９】
以上述べたように、炭素系吸着剤２１によって油分だけを分離し、誘導加熱によってガス化することにより、油分の持つ熱エネルギーを、追加的な内部燃焼を伴わずに効率的にガス潜熱に転換でき、ガスカロリーの高いガスを発生させ、冷ガス効率の高い転換システムを構成することができる。
【００３０】
また、炭素系吸着剤２１を誘導加熱する際、その表面温度を１３００℃以上とすることで、炭素系吸着剤２１の表面に付着するダスト成分は溶融して流下し、炭素系吸着剤２１の表面から分離する。さらに、再生室３０の下部に設けられた複数のノズル３１から水蒸気及び純酸素を吹き込むことで、炭素系吸着剤２１表面の炭素を一部ガス化させ、炭素系吸着剤２１にミクロ穴を作ることにより、炭素系吸着剤２１は、賦活され、吸着剤として再生される。
【００３１】
このガスは再生室３０を上昇し、油分が熱分解する再生室３０上部の誘導加熱部位では、水蒸気分が、油分が熱分解する際のガス化剤として作用し、また、発生する油分改質ガスを、再生室３０上方にパージするキャリアガスとしても作用する。さらに、雰囲気ガス温度を一様かつ一定に保つ役目も果たす。
【００３２】
その後、再生された炭素系吸着剤２１は、水冷パネル３２、散水ノズル３３で冷却・消火され、切り出し装置３４によって再生室３０の底部から排出される。
【００３３】
排出された炭素系吸着剤２１は篩３５で選別され、一定粒度以下の粒は、ダスト溶融物、劣化吸着剤として分離し、篩３５上の炭素系吸着剤を、吸着剤ホッパ３６に一時貯留して循環使用する。
【００３４】
一方、吸着室２０を出たガスは、集塵機６０でダストを除去し、炉圧調整弁６１を介して、ガス昇圧ブロア６２で昇圧する。その後、ガスは湿式洗浄・脱湿工程６３を経て、ガスホルダー６４に貯蔵する。ガスのユーザはこのガスホルダー６４を介して利用する。また、湿式洗浄・脱湿工程６３を出たガスの一部は、ガスサイクルブロア６５を介してシャフト炉１０下部の羽口１２に導かれ、酸素とともに炉底に吹き込まれる。この量によって、純酸素使用によるガス化シャフト炉の操業に必要な熱流比を確保する。
【実施例２】
【００３５】
図２は本発明の第２実施例の装置構成図である。本実施例は、有機系廃棄物を熱分解するための熱分解炉として間接加熱式のロータリーキルンを使用したものである。
【００３６】
図２において、７０は空気遮断下で間接加熱するロータリーキルンであり、装入スクリュー７９を介してガスシールしながら有機系廃棄物を装入できる。有機系廃棄物は４００〜６００℃で熱分解され、熱分解ガスと炭化物を含んだ固体状の残渣に分かれる。
【００３７】
間接加熱するロータリーキルン７０の熱源は、生成する炭化物を含んだ固体状の残渣を燃焼することで賄う。即ち、キルン円筒７１を覆う形で残渣燃焼炉７２が設けられており、この残渣燃焼炉７２において、残渣を燃焼させる。キルン円筒７１内で生成した残渣は、排出シュート７３、シールダンパ７４を介して残渣燃焼炉７２に装入される。また、残渣燃焼炉７２には、その起動用及び熱量調整用としてバーナ７５が設けられている。
【００３８】
残渣燃焼炉７２で燃焼残渣として残った灰分は、残渣燃焼部７７に設けた可動火格子７８で出側に移送され、灰出しダンパ７６を介して排出される。一方、残渣燃焼炉７２からの燃焼排ガスは、ロータリーキルン７０及びボイラ６６で熱回収した後に、排ガス処理設備６７を介して煙突６８から排出される。
【００３９】
ロータリーキルン７０内で生成した熱分解ガスは、先の実施例１と同様に吸着室２０に導入される。このロータリーキルン７０以降の構成は実施例１と同様であるので、実施例１と同一の構成には同一の符号を付してその説明は省略する。
【００４０】
なお、本実施例において、湿式洗浄、脱湿工程６３を出たガスは、一部ガスサイクルブロア６５を介してロータリーキルン７０のキルン円筒７１の前側、及び残渣燃焼炉７２のバーナ７５に繋がっている。キルン円筒７１の前側に導入されるガスは、発生する熱分解ガスを希釈パージする役割がある。
【実施例３】
【００４１】
図３は、本発明の第３実施例を示す概略の装置構成図である。先の実施例１，２では、吸着室と再生室を上下一体的に設けたが、本実施例は、これらを別体に設けたものである。なお、本実施例において、実施例１，２と同一の構成には同一の符号を付してその説明は省略する。
【００４２】
図３に示すように、本実施例では熱分解炉８０の後流に、ガス冷却装置８１を介して吸着室２０を配している。吸着室２０は、油分の吸着層となる炭素系吸着剤２１をクロスフロー式移動層で構成しており、二対のルーバー壁２８で炭素系吸着剤２１の移動層を保持している。
【００４３】
吸着室２０の底部には、油分を吸着した炭素系吸着剤２１を排出するための切り出し装置として、ガスシール型のロータリーバルブ２９が設けられており、このロータリーバルブ２９から排出された炭素系吸着剤２１は、再生室３０の上部の受け入れ口３７から再生室３０内に装入される。
【００４４】
再生室３０では実施例１，２と同様に、誘導加熱装置４０によって炭素系吸着剤２１を誘導加熱することで、炭素系吸着剤２１に吸着した油分を熱分解して油分改質ガスを生成する共に、炭素系吸着剤２１を再生する。再生室３０で生成した油分改質ガスは、再生室３０上部の排出口３８から排出され、配管３９を介して吸着室２０から排出された熱分解ガスに合流させる。一方、再生された炭素系吸着剤２１は、実施例１，２と同様に循環使用される。
【実施例４】
【００４５】
図４は、本発明の第４実施例を示す概略の装置構成図である。本実施例は、熱分解ガス中の油分を吸着分離するために一対の吸着・再生室を設け、これらの吸着・再生室を交互に稼働させるようにしたものである。
【００４６】
図４に示すように、本実施例では熱分解炉８０の後流に、ガス冷却装置８１を介して一対の吸着・再生室９０を配している。
【００４７】
それぞれの吸着・再生室９０は、油分の吸着層となる炭素系吸着剤２１を固定層で構成しており、一つの固定層で油分の吸着と再生を行うために、炭素系吸着材充填部分に誘導加熱装置４０が配され、いずれか一方の吸着・再生室９０が油分を吸着しているときに、他方の吸着・再生室９０が炭素系充填剤２１の再生と冷却を行うようにする。なお、誘導加熱装置４０の構成は、先の実施例のものと同一である。
【００４８】
こうした切り替えのために、切り替え流入弁９１と切り替え流出弁９２を設けている。即ち、吸着を行う吸着・再生室９０側の切り替え流入弁９１と切り替え流出弁９２を開状態とし、熱分解ガスを所定温度で通ガスし、熱分解ガス中の油分を炭素系吸着材２１で吸着分離する。一方、再生をする吸着・再生室９０側については、切り替え流入弁９１を閉状態とし、油分を吸着した炭素系吸着材２１を誘導加熱する。このとき同時に下部に配するノズル９３から酸素や水蒸気を吹き込み、油分改質ガスを出口側にパージする。再生完了後、切り替え流出弁９２を閉にし、Ｎ２ガス封入状態で冷却して再生を完了する。
【００４９】
こうしたサイクルを一定間隔で切り替えて吸着・再生を繰り返すことで油分のない改質ガスを得る。
【００５０】
なお、徐々に消耗する炭素系吸着剤２１を補充するために、ぞれぞれの吸着・再生室９０の上部には吸着材補充ホッパ９４を設けている。
【００５１】
上記の実施例では、吸着・再生室９０を２つ設け交互に稼働させるようにしたが、吸着・再生室９０を３つ以上設けて、そのうちの何れか１つを稼働させるようにしても良い。
【産業上の利用可能性】
【００５２】
本発明は、有機物を熱分解して熱分解ガスを得るためのプラント設備に利用可能である。
【図面の簡単な説明】
【００５３】
【図１】本発明の第１実施例の装置構成図である。
【図２】本発明の第２実施例の装置構成図である。
【図３】本発明の第３実施例を示す概略の装置構成図である。
【図４】本発明の第４実施例を示す概略の装置構成図である。
【図５】従来のコースス炉における油分の除去方法を示すプロセス図である。
【図６】従来の高温加熱による油分の熱分解方法を示すプロセス図である。
【図７】従来の触媒を利用した油分の熱分解方法を示すプロセス図である。
【符号の説明】
【００５４】
１０  シャフト炉
１１  装入装置
１２  羽口
１３  前炉
１４  チャーバーナ
１５  保熱バーナ
１６  コンベア
１７  サイクロン
１８ａ、１８ｂ  均圧ホッパ
１９  チャーホッパ
２０  吸着室
２１  炭素系吸着剤
２２  ボイラ水冷壁
２３  吸着剤装入装置
２４  切り出し装置
２５  熱分解ガス受け入れ口
２６  ガス排出口
２７  散水ノズル
２８  ルーバー壁
２９  ロータリーバルブ
３０  再生室
３１  酸素／水蒸気吹込み用のノズル
３２  水冷パネル
３３  散水ノズル
３４  切り出し装置
３５  篩
３６  吸着剤ホッパ
３７  炭素系吸着剤の受け入れ口
３８  油分改質ガスの排出口
３９  配管
４０  誘導加熱装置
４１  コイル
４２  誘導加熱電源
５０ａ、５０ｂ  散水装置
６０  集塵機
６１  炉圧調整弁
６２  ガス昇圧ブロア
６３  湿式洗浄・脱湿工程
６４  ガスホルダー
６５  ガスサイクルブロア
６６  ボイラ
６７  排ガス処理設備
６８  煙突
７０  間接加熱式のロータリーキルン
７１  キルン円筒
７２  残渣燃焼炉
７３  排出シュート
７４  シールダンパ
７５  バーナ
７６  灰出しダンパ
７７  残渣燃焼部
７８  可動火格子
７９  装入スクリュー
８０  熱分解炉
８１  ガス冷却装置
９０  吸着・再生室
９１  切り替え流入弁
９２  切り替え流出弁
９３  酸素／水蒸気吹込み用のノズル
９４  吸着材補充ホッパ
１００  コークス炉
１０１  電気集塵機（ＥＰ）
１０２  熱分解炉
１０３  高温改質炉
１０４  触媒反応塔
【図１】
2005126524.tif 000003
【図２】
2005126524.tif 000004
【図３】
2005126524.tif 000005
【図４】
2005126524.tif 000006
【図５】
2005126524.tif 000007
【図６】
2005126524.tif 000008
【図７】
2005126524.tif 000009